(57)【要約】【課題】シーブが処理する被処理物の中から比較的大きい藁屑等の夾雑物を除去する場合、選別網に藁屑等の夾雑物が絡まって付着し、下方のシーブへの被処理物の落下を阻害し、選別効率および精度が低下するという課題がある。【解決手段】扱胴２０を軸装した扱室１５の下側に、被処理物中の穀粒を選別する揺動選別棚２５を設け、該揺動選別棚２５の下側に、該揺動選別棚２５から落下した被処理物のうちの一番物を回収する一番コンベア３５を設け、前記揺動選別棚２５における、前記一番コンベア３５の上方の部位に被処理物中の穀粒と藁屑とを選別するシーブ２７を設け、該シーブ２７の上方に該シーブ２７と上下に所定間隔Ｔをあけて前記扱室１５からの落下物を受け止める選別網４０を設けたコンバイン。【選択図】図２
2018085958.tif 000002
【特許請求の範囲】
【請求項１】
扱胴（２０）を軸装した扱室（１５）の下側に、被処理物中の穀粒を選別する揺動選別棚（２５）を設け、該揺動選別棚（２５）の下側に、該揺動選別棚（２５）から落下した被処理物のうちの一番物を回収する一番コンベア（３５）を設け、前記揺動選別棚（２５）における、前記一番コンベア（３５）の上方の部位に被処理物中の穀粒と藁屑とを選別するシーブ（２７）を設け、該シーブ（２７）の上方に該シーブ（２７）と上下に所定間隔Ｔをあけて前記扱室（１５）からの落下物を受け止める選別網（４０）を設けたコンバイン。
【請求項２】
請求項１記載の発明において、前記揺動選別棚（２５）の下方に設けた唐箕（２２）からの選別風が通る風路（４２）を、前記選別網（４０）の前部と前記シーブ（２７）の前端部との間に設けたコンバイン。
【請求項３】
請求項１または請求項２記載の発明において、前記選別網（４０）と前記シーブ（２７）との間の上下方向の所定間隔Ｔは、前記選別網（４０）の前側部分と前記シーブ（２７）の前側部分との間の前側上下間隔Ｔ１が、前記選別網（４０）の後側部分と前記シーブ（２７）の後側部分との間の後側上下間隔Ｔ２よりも広く形成したコンバイン。
【請求項４】
請求項１または請求項２または請求項３記載の発明において、前記選別網（４０）の目合は、前記シーブ（２７）の下方に設けた第二選別網（３７）の目合よりも粗い目合に形成したコンバインとしたものである。
【発明の詳細な説明】
【技術分野】
【０００１】
本発明は、コンバインに係るものである。
【背景技術】
【０００２】
従来、扱胴の下側に、シーブを有して前後方向に揺動して被処理物中の穀粒を選別処理する揺動選別棚を設け、シーブの各フィンの上端に選別網を設けた構成は、公知である（特許文献１）。
【先行技術文献】
【特許文献】
【０００３】
【特許文献１】特開２００９−１２５０４２号公報
【発明の概要】
【発明が解決しようとする課題】
【０００４】
前記公知例は、単に、シーブが処理する被処理物の中から比較的大きい藁屑等の夾雑物を除去して、シーブの処理負荷を軽減させるものであるが、選別網に藁屑等の夾雑物が絡まって付着し、却って、下方のシーブへの被処理物の落下を阻害し、全体で見ると、選別効率および精度が低下するという課題がある。
本願は、選別網を設けるにあたり、選別網とシーブとの配置等を工夫することにより、選別網とシーブの選別負荷を軽減させ、選別精度および選別効率を向上させたものである。
【課題を解決するための手段】
【０００５】
請求項１記載の発明は、扱胴２０を軸装した扱室１５の下側に、被処理物中の穀粒を選別する揺動選別棚２５を設け、該揺動選別棚２５の下側に、該揺動選別棚２５から落下した被処理物のうちの一番物を回収する一番コンベア３５を設け、前記揺動選別棚２５における、前記一番コンベア３５の上方の部位に被処理物中の穀粒と藁屑とを選別するシーブ２７を設け、該シーブ２７の上方に該シーブ２７と上下に所定間隔Ｔをあけて前記扱室１５からの落下物を受け止める選別網４０を設けたコンバインとしたものである。
請求項２記載の発明は、前記揺動選別棚２５の下方に設けた唐箕２２からの選別風が通る風路４２を、前記選別網４０の前部と前記シーブ２７の前端部との間に設けたコンバインとしたものである。
請求項３記載の発明は、前記選別網４０と前記シーブ２７との間の上下方向の所定間隔Ｔは、前記選別網４０の前側部分と前記シーブ２７の前側部分との間の前側上下間隔Ｔ１が、前記選別網４０の後側部分と前記シーブ２７の後側部分との間の後側上下間隔Ｔ２よりも広く形成したコンバインとしたものである。
請求項４記載の発明は、前記選別網４０の目合は、前記シーブ２７の下方に設けた第二選別網３７の目合よりも粗い目合に形成したコンバインとしたものである。
【発明の効果】
【０００６】
請求項１記載の発明では、シーブ２７の上方に上下方向において所定間隔Ｔをあけて選別網４０を設けているので、選別網４０にシーブ２７からの選別風が上に向けて吹き抜け、選別網４０は扱室１５からの落下物を受け止めるだけでなく、選別網４０上にて夾雑物と穀粒とを選別し、これにより、選別網４０への付着物の付着を抑制できると共に、選別処理も促進させることができ、その結果、シーブ２７の処理負荷を軽減させることができ、全体的な選別精度および選別効率を向上させることができる。
請求項２記載の発明では、揺動選別棚２５の下方に設けた唐箕２２からの選別風が通る風路４２を、選別網４０の前部とシーブ２７の前端部との間に設けているので、選別網４０にはシーブ２７のフィン２８の間から吹き上げる選別風に加えて風路４２からの選別風も吹き抜けさせることができ、一層、選別網４０の付着物の付着を抑制できると共に、シーブ２７の処理負荷を軽減させることができ、全体的な選別精度および選別効率を向上させることができる。
請求項３記載の発明では、選別網４０とシーブ２７との間のＴは、選別網４０の前側部分とシーブ２７の前側部分との間の前側上下間隔Ｔ１が、選別網４０の後側部分とシーブ２７の後側部分との間の後側上下間隔Ｔ２よりも広く形成しているので、選別網４０とシーブ２７の前側部分での選別処理能力を向上させることができ、一番コンベア３５への夾雑物の混入をさらに低減できる。
請求項４記載の発明では、選別網４０の目合は、第二選別網３７の目合よりも粗い目合に形成しているので、選別網４０の詰まりを抑制して機外飛散ロスを低減できる。
【図面の簡単な説明】
【０００７】
【図１】コンバインの側面図。
【図２】脱穀装置の縦断側面図。
【図３】揺動選別棚の側面図。
【図４】層厚センサを設けた脱穀装置の側面図。
【図５】選別状態を示す模式図。
【図６】切断処理装置の側面図。
【図７】同正面図。
【発明を実施するための形態】
【０００８】
本発明の一実施形態をコンバインの図面により説明すると、１はコンバインの機体フレーム、２は機体フレーム１の下方に設けた走行装置、３は機体フレーム１の上方に設けた脱穀装置、４は脱穀装置３の前側に設けた刈取装置、５は脱穀装置３の側部に設けたグレンタンク、６はグレンタンク５の前側に設けた操縦部である。
刈取装置４は、オーガー（図示省略）を軸装したオーガーフレーム（オーガーテーブル）１１に、リール１２と、刈刃１３を設けて構成し、オーガーフレームには搬送エレベーター１４の先端を取付け、搬送エレベーター１４の基部は脱穀装置３の扱室１５に接続する。
【０００９】
刈取装置４は、搬送エレベーター１４と共に、刈取上下シリンダ（図示省略）により搬送エレベーター１４の基部側を回動中心にして上下するように構成している。
前記脱穀装置３の扱室１５には扱胴２０を軸装し、扱胴２０の主として下方側は扱網２１により包囲している。扱網２１の下方には唐箕２２の唐箕ケーシング２３を設ける（図２）。
前記扱室１５の下方には前記唐箕２２の送風により穀粒と異物とを風選し得る風選室２４を形成し、風選室２４内には、唐箕２２の送風方向（前後方向）に往復揺動する揺動選別棚２５を設ける。
【００１０】
揺動選別棚２５の構成は任意であるが、一例を示すと、前記揺動選別棚２５の始端部（前端部）を唐箕ケーシング２３の上方に位置させて移送棚部２６に形成する。移送棚部２６の構成は任意であるが、移送棚部２６の上面には、図示は省略するが、突起や凹凸を設けて揺動選別棚２５の移送方向下手側に扱室１５からの落下物を移送するように構成する。
移送棚部２６の移送方向下手側にはシーブ２７を設ける。シーブ２７は、穀粒と異物（夾雑物）とを選別するものであり、左右方向の縦状のフィン２８を所定間隔をおいて揺動方向（前後方向）に複数並設して構成する。フィン２８は、薄い板形状に形成し、移送方向の下手側（後側）が高い角度範囲内で傾斜角度調節自在に構成している。
【００１１】
シーブ２７の移送方向の下手側（後側）にはストローラック３０を設ける。また、揺動選別棚２５の下方には一番コンベア３５を設け、一番コンベア３５の後側には二番コンベア３６を設ける。３７はシーブ２７の下方に設けた第二選別網（精選別網）である。
シーブ２７の上方には、所定間隔Ｔを開けて選別網（第一選別網）４０を設ける。選別網４０は前記第二選別網３７と同じ目合に形成する。
そのため、扱室１５からの落下物のうちの藁屑（穀稈屑）を選別網４０が受け止めて、シーブ２７による選別被処理物中の藁屑量を減少させ、選別精度および効率を向上させることができる。
【００１２】
前記選別網４０は、その目合を前記第二選別網３７よりも細かい（小さい）目合に形成すると、選別対象物の性状によっては、扱室１５からの落下物のうちの藁屑（穀稈屑）を選別網４０が受け止めて、シーブ２７による選別被処理物中の藁屑量を減少させ、選別精度および効率を向上させることができる。
前記選別網４０は、その目合を前記第二選別網３７よりも粗い（大きい）目合に形成すると、選別対象物の性状によっては、選別網４０が受け止める選別被処理物中の穀粒量を減少させ、脱穀ロス発生を抑制させることができ、適宜着脱交換自在に構成してもよい。
また、前記選別網４０は、板部材を打ち抜き成形により形成してもよく、このようにすると、安価に製造できる。
【００１３】
前記選別網４０は、前記第二選別網３７を下から上に吹き抜ける選別風風路４１の上方であって、少なくとも、選別風風路４１の前後幅と略同じに形成する。
そのため、第二選別網３７の下から吹き抜ける選別風により選別網４０上の被処理物の選別処理および搬送方向の下手側への被処理物の移送を良好にでき、選別効率を向上させることができる。
この第二選別網３７の選別風風路４１の上方に設けた選別網４０は、前記第二選別網３７と同じ目合に形成する。
そのため、扱室１５からの落下物のうちの藁屑（穀稈屑）を選別網４０が受け止めて、シーブ２７による選別被処理物中の藁屑量を減少させ、選別精度および効率を向上させることができる。
【００１４】
この第二選別網３７の選別風風路４１の上方に設けた選別網４０は、その目合を前記第二選別網３７よりも粗い（大きい）目合に形成すると、選別対象物の性状によっては、選別網４０が受け止める選別被処理物中の穀粒量を減少させ、脱穀ロス発生を抑制させることができ、適宜着脱交換自在に構成してもよい。
また、この第二選別網３７の選別風風路４１の上方に設けた選別網４０は、その目合を前記第二選別網３７よりも細かい（小さい）目合に形成すると、選別対象物の性状によっては、扱室１５からの落下物のうちの藁屑（穀稈屑）を選別網４０が受け止めて、シーブ２７による選別被処理物中の藁屑量を減少させ、選別精度および効率を向上させることができる。
【００１５】
また、この第二選別網３７の選別風風路４１の上方に設けた選別網４０は、板部材を打ち抜き成形により形成してもよく、このようにすると、安価に製造できる。
前記選別網４０は、前記第二選別網３７の上方に、該第二選別網３７と略同じ前後幅と略同じに形成して設置する。
そのため、第二選別網３７の下から吹き抜ける選別風により選別網４０上の被処理物の選別処理および搬送方向の下手側への被処理物の移送を良好にでき、選別効率を向上させることができる。
【００１６】
この第二選別網３７の上方に設けた第二選別網３７と同じ前後幅の選別網４０は、その目合を前記第二選別網３７よりも粗い（大きい）目合に形成すると、選別対象物の性状によっては、選別網４０が受け止める選別被処理物中の穀粒量を減少させ、脱穀ロス発生を抑制させることができ、適宜着脱交換自在に構成してもよい。
この第二選別網３７の上方に設けた第二選別網３７と同じ前後幅の選別網４０は、その目合を前記第二選別網３７よりも細かい（小さい）目合に形成すると、選別対象物の性状によっては、扱室１５からの落下物のうちの藁屑（穀稈屑）を選別網４０が受け止めて、シーブ２７による選別被処理物中の藁屑量を減少させ、選別精度および効率を向上させることができる。
【００１７】
この第二選別網３７の上方に設けた第二選別網３７と同じ前後幅の選別網４０は、板部材を打ち抜き成形により形成してもよく、このようにすると、安価に製造できる。
しかして、前記揺動選別棚２５における、前記一番コンベア３５の上方の部位に前記シーブ２７を設け、該シーブ２７の上方に該シーブ２７と上下に所定間隔Ｔをあけて選別網４０を設ける（図３）。
そのため、一番コンベア３５への夾雑物の混入を低減しつつも、選別網４０およびシーブ２７の選別効率の低下を防止できる。
揺動選別棚２５の下方に設けた唐箕２２からの選別風が通る風路４２を、選別網４０の前部とシーブ２７の前端部との間に設ける（図３）。
【００１８】
そのため、選別網４０から漏下した被処理物の選別精度を向上させることができる。
前記風路４２の構成は、任意であるが、本例では、揺動選別棚２５の底板２５Ａに開口部４３を設け、開口部４３は上側風路４４の上方に臨ませる。上側風路４４は唐箕ケーシング２３の送風口４５に設けた上側導風体４６と唐箕ケーシング２３の送風口４５の上端との間に形成している。４７は上側導風体４６の下方に設けた下側導風体、４８は中間風路、４９は下側風路であり、中間風路４８と下側風路４９が合流して前記選別風風路４１となる。
【００１９】
風路４２は、揺動選別棚２５の底板２５Ａの開口部４３を上側風路４４の上方に臨ませているので、唐箕ケーシング２３の上側風路４４からの選別風が開口部４３から揺動選別棚２５の底板２５Ａ上に吹き抜けて、移送棚２６が選別網４０の始端部に吹き上がるように吹き抜け、選別網４０上の選別処理を促進させる。
即ち、シーブ２７の始端部下方には揺動選別棚２５の底板２５Ａがあるので、通常の唐箕２２の選別風が流れないが、本願では、選別網４０の前部とシーブ２７の前端部との間に風路４２を設けているので、選別網４０上の選別処理を促進させることができる。
【００２０】
選別網４０とシーブ２７との間のＴは、選別網４０の前側部分とシーブ２７の前側部分との間の前側の上下間隔Ｔ１が、選別網４０の後側部分とシーブ２７の後側部分との間の後側の上下間隔Ｔ２よりも広く形成する。
そのため、選別網４０とシーブ２７の前側部分での選別処理能力を向上させることができ、一番コンベア３５への夾雑物の混入をさらに低減できる。
【００２１】
すなわち、選別網４０の前側部分とシーブ２７の前側部分との間の前側の上下間隔Ｔ１が、選別網４０の後側部分とシーブ２７の後側部分との間の後側の上下間隔Ｔ２よりも広く形成しているので、選別網４０とシーブ２７の前側部分の下方を流れる選別風の風量を多くすることができ、前側部分で選別処理を促進させ、一方、選別網４０とシーブ２７の後側部分では上下間隔Ｔ２を狭くして選別風を弱めて、機体外に穀粒を飛散させる機外飛散ロスの発生を抑制させることができる。
前記選別網４０の目合は、前記第二選別網３７よりも粗い（大きい）目合に形成する。
【００２２】
そのため、選別網４０の詰まりを抑制して機外飛散ロスを低減できる。
しかして、前記揺動選別棚２５の上方所定位置には前後一対の層厚センサ５０、５１を設け、前側層厚センサ５０により層厚Ｘを測定（検出）し、後側層厚センサ５１により層厚Ｙを測定（検出）し、その差（ＸーＹ）を、層厚センサ５０と層厚センサ５１との間距離Ｄにより除した算出値を（図５Ａ）、揺動選別棚２５上に堆積する被処理物Ｈの層厚の上面に形成される変化勾配とし、この変化勾配に基づいて脱穀制御を行う構成とする。
【００２３】
すなわち、図５Ｃのように、揺動選別棚２５のシーブ２７上の被処理物の変化勾配が大きいとき（急傾斜）は、揺動選別棚２５上の被処理物が下手側に移送される間にシーブ２７より落下し、一番コンベア３５に夾雑物が多く混入して選別精度が低下していると想定され、反対に、図５Ａのように、揺動選別棚２５のシーブ２７上の被処理物の変化勾配が小さいとき（なだらか）は、シーブ２７間より落下する被処理物量が少なく、シーブ２７が目詰まりし、選別負荷が過大であり、十分選別されずに穀粒の機外飛散ロスが想定され、いずれの場合も、図５Ｂのように揺動選別棚２５上の被処理物の変化勾配を一定にするように制御し、選別性能を安定させることができる。
【００２４】
この層厚センサ５０、５１による脱穀制御は、唐箕２２の回転数の変更と、揺動選別棚２５の揺動数の変更と、シーブ２７のフィン２８の開き具合の変更とを、個別または組み合わせて実行する。
例えば、変化勾配が設定値より大きいと、シーブ２７から一番コンベア３５への落下量が多くなって、揺動選別棚２５上の後側部分の被処理物の層厚が薄いことが想定され、シーブ２７のフィン２８の間隔を閉じて設定値となるように制御する。
反対に、変化勾配が設定値より小さいと、シーブ２７が目詰まり状態で、揺動選別棚２５上の後側部分の被処理物の層厚が厚いことが想定され、シーブ２７のフィン２８の間隔を開いて設定値となるように制御する。
【００２５】
この場合、変化勾配が所定の設定値より小さいときには、シーブ２７の目詰まり発生と判定し、オペレータにその旨を任意の手段により報知する。
そのため、シーブ２７の選別不良状態での作業継続を速やかに停止させることができ、脱穀ロスの発生を防止することができる。
また、変化勾配が設定値より小さいと、シーブ２７のフィン２８の間隔を開いて設定値となるように制御する。
そのため、濾過率が低いので、フィン２８を開け、適正な濾過量とする。
また、層厚センサ５１の測定値が設定値より小さいときには、脱穀制御を実行しない。
【００２６】
また、層厚センサ５１の測定値が設定層厚を超えてたときは、設定層厚となるように、車速を減速させる構成とする。
しかして、風選室２４の後側には、ワラ屑類等を切断するスプレッダ式の切断処理装置５５を設ける。切断処理装置５５は排出された排稈等を切断する回転刃５６と、切断処理装置５５の前部の下部に起立・倒伏可能な切刃５７とを設けて構成している。
回転刃５６の構成は任意であるが、本例では、切断処理胴５８の外周に放射方向に突出させて、切断処理胴５８の外周面に左右方向に所定の間隔を持ち、側面視において、相互に重ならないように、周方向に所定の角度を持って位置させて、千鳥状に配置している。
【００２７】
切断処理胴５８の外周面には、機体走行方向の左側に搬送するように搬送螺旋５９を設ける。
そのため、切断処理胴５８の外周面に載った切断材等は搬送螺旋５９により機体左側に搬送でき、切断処理装置５５からの圃場への排出物の均分化を図ることができる。
【００２８】
（実施形態の作用）
走行装置２により走行し、刈取装置４で刈り取った穀稈は扱室１５に供給され、扱室１５の扱胴２０で脱穀される。
脱穀された脱穀物は、扱網２１より揺動選別棚２５上に落下し、揺動選別棚２５の揺動と唐箕２２からの送風により選別され、穀粒は揺動選別棚２５から一番コンベア３５に回収され、一番コンベア３５により回収された穀粒はグレンタンク５に貯留される。
【００２９】
しかして、揺動選別棚２５における、一番コンベア３５の上方の部位にシーブ２７を設け、該シーブ２７の上方に該シーブ２７と上下に所定間隔Ｔをあけて選別網４０を設けているので、一番コンベア３５への夾雑物の混入を低減しつつも、選別網４０およびシーブ２７の選別効率の低下を防止できる。
すなわち、シーブ２７の上方に上下方向において所定間隔Ｔをあけて選別網４０を設けているので、選別網４０にシーブ２７からの選別風が上に向けて吹き抜け、選別網４０は扱室１５からの落下物を受け止めるだけでなく、選別網４０上にて夾雑物と穀粒とを選別し、これにより、選別網４０への付着物の付着を抑制できると共に、選別処理も促進させることができ、その結果、シーブ２７の処理負荷を軽減させることができ、全体的な選別精度および選別効率を向上させることができる。
【００３０】
揺動選別棚２５の下方に設けた唐箕２２からの選別風が通る風路４１を、選別網４０の前部とシーブ２７の前端部との間に設けているので、選別網４０上の被処理物は下からの選別風と揺動選別棚２５の揺動を受けて風選される。
したがって、扱室１５からの落下物は、シーブ２７にいたる前に選別網４０上で風選されることになって、選別網４０から漏下した被処理物のシーブ２７での選別精度を向上させ、全体としての選別精度を向上させることができる。
【００３１】
すなわち、揺動選別棚２５の下方に設けた唐箕２２からの選別風が通る風路４２を、選別網４０の前部とシーブ２７の前端部との間に設けているので、選別網４０にはシーブ２７のフィン２８の間から吹き上げる選別風に加えて風路４２からの選別風も吹き抜けさせることができ、一層、選別網４０の付着物の付着を抑制できると共に、シーブ２７の処理負荷を軽減させることができ、全体的な選別精度および選別効率を向上させることができる。
【００３２】
前記風路４２は、唐箕ケーシング２３の送風口４５の上側風路４４から揺動選別棚２５の底板２５Ａの開口部４３を通って選別網４０とシーブ２７との間を吹き抜ける。
選別網４０とシーブ２７との間のＴは、選別網４０の前側部分とシーブ２７の前側部分との間の前側の上下間隔Ｔ１が、選別網４０の後側部分とシーブ２７の後側部分との間の後側の上下間隔Ｔ２よりも広く形成しているので、選別網４０とシーブ２７の前側部分での選別処理能力を向上させることができ、一番コンベア３５への夾雑物の混入をさらに低減できる。
【００３３】
選別網４０の目合は、第二選別網３７よりも粗い（大きい）目合に形成しているので、選別網４０の詰まりを抑制して機外飛散ロスを低減できる。
すなわち、扱室１５からの落下物のうちの藁屑（穀稈屑）を選別網４０が受け止めて、シーブ２７による選別被処理物中の藁屑量を減少させ、選別精度および効率を向上させる。
選別網４０は、その目合を第二選別網３７よりも細かい（小さい）目合に形成すると、選別対象物の性状によっては、扱室１５からの落下物のうちの藁屑（穀稈屑）を選別網４０が受け止めて、シーブ２７による選別被処理物中の藁屑量を減少させ、選別精度および効率を向上させることができる。
【００３４】
また、選別網４０は、板部材を打ち抜き成形により形成してもよく、このようにすると、安価に製造できる。
選別網４０は、前記第二選別網３７を下から上に吹き抜ける選別風風路４１の上方であって、少なくとも、選別風風路４１の前後幅と略同じに形成すると、第二選別網３７の下から吹き抜ける選別風により選別網４０上の被処理物の選別処理および搬送方向の下手側への被処理物の移送を良好にでき、選別効率を向上させることができる。
【００３５】
この第二選別網３７の選別風風路４１の上方に設けた選別網４０は、選別網４０は第二選別網３７と同じ目合に形成すると、扱室１５からの落下物のうちの藁屑（穀稈屑）を選別網４０が受け止めて、シーブ２７による選別被処理物中の藁屑量を減少させ、選別精度および効率を向上させることができる。
この第二選別網３７の選別風風路４１の上方に設けた選別網４０は、その目合を第二選別網３７よりも粗い（大きい）目合に形成すると、選別対象物の性状によっては、選別網４０が受け止める選別被処理物中の穀粒量を減少させ、脱穀ロス発生を抑制させることができ、適宜着脱交換自在に構成してもよい。
【００３６】
また、この第二選別網３７の選別風風路４１の上方に設けた選別網４０は、その目合を前記第二選別網３７よりも細かい（小さい）目合に形成すると、選別対象物の性状によっては、扱室１５からの落下物のうちの藁屑（穀稈屑）を選別網４０が受け止めて、シーブ２７による選別被処理物中の藁屑量を減少させ、選別精度および効率を向上させることができる。
また、この第二選別網３７の選別風風路４１の上方に設けた選別網４０は、板部材を打ち抜き成形により形成してもよく、このようにすると、安価に製造できる。
【００３７】
前記選別網４０は、前記第二選別網３７の上方に、該第二選別網３７と略同じ前後幅と略同じに形成して設置しているので、第二選別網３７の下から吹き抜ける選別風により選別網４０上の被処理物の選別処理および搬送方向の下手側への被処理物の移送を良好にでき、選別効率を向上させることができる。
この第二選別網３７の上方に設けた第二選別網３７と同じ前後幅の選別網４０は、その目合を前記第二選別網３７よりも粗い（大きい）目合に形成すると、選別対象物の性状によっては、選別網４０が受け止める選別被処理物中の穀粒量を減少させ、脱穀ロス発生を抑制させることができ、適宜着脱交換自在に構成してもよい。
【００３８】
この第二選別網３７の上方に設けた第二選別網３７と同じ前後幅の選別網４０は、その目合を前記第二選別網３７よりも細かい（小さい）目合に形成すると、選別対象物の性状によっては、扱室１５からの落下物のうちの藁屑（穀稈屑）を選別網４０が受け止めて、シーブ２７による選別被処理物中の藁屑量を減少させ、選別精度および効率を向上させることができる。
【００３９】
この第二選別網３７の上方に設けた第二選別網３７と同じ前後幅の選別網４０は、板部材を打ち抜き成形により形成してもよく、このようにすると、安価に製造できる。
なお、前記した各実施例は、理解を容易にするために、個別または混在させて図示、あるいは説明しているが、これらは夫々種々組合せ可能であり、これらの表現によって、構成・作用等が限定されるものではなく、また、相乗効果を奏する場合も勿論存在する。
【符号の説明】
【００４０】
１…機体フレーム、２…走行装置、３…脱穀装置、４…刈取装置、５…グレンタンク、６…操縦部、１５…扱室、２０…扱胴、２１…扱網、２２…唐箕、２３…唐箕ケーシング、２４…風選室、２５…揺動選別棚、２６…移送棚部、２７…シーブ、２８…フィン、３０…ストローラック、３５…一番コンベア、３６…二番コンベア、３７…第二選別網、４０…選別網、４１…選別風風路、４２…風路、５０，５１…層厚センサ、５５…切断処理装置、５６…回転刃、５７…切刃、５８…切断処理胴、５９…搬送螺旋。
【図１】
2018085958.tif 000003
【図２】
2018085958.tif 000004
【図３】
2018085958.tif 000005
【図４】
2018085958.tif 000006
【図５】
2018085958.tif 000007
【図６】
2018085958.tif 000008
【図７】
2018085958.tif 000009